(57)【要約】【課題】本考案は、各容器の取り付けの手間を要さず、中身を取り出した後にも、今までになく、しかも実用的な使用用途が得られるブーツ型容器セットの提供を目的とする。【解決手段】上部に飲料の注入可能な飲料用容器１２、３２を備え、下部に上記飲料用容器１２、３２の底部１３ａ相当の大きさで開口している開口部を有するブーツ型のブーツ型部材１７を備え、上記飲料用容器の底部を上記ブーツ型部材１７の開口部に着脱自在に嵌着して互いを連結するブーツ型容器セット１１、３１、５１。【選択図】　図１
0003097220.tif 000002
【実用新案登録請求の範囲】
【請求項１】
上部に飲料の注入可能な飲料用容器を備え、
下部に上記飲料用容器の底部相当の大きさで開口している開口部を有するブーツ型のブーツ型部材を備え、
上記飲料用容器の底部を上記ブーツ型部材の開口部に着脱自在に嵌着して互いを連結する
ブーツ型容器セット。
【請求項２】
前記飲料用容器、又は／及び、前記ブーツ型部材を物品の収納が可能に形成した
請求項１に記載のブーツ型容器セット。
【請求項３】
前記飲料用容器が水筒である
請求項項１、又は、２に記載のブーツ型容器セット。
【請求項４】
前記飲料用容器、又は／及び、前記ブーツ型部材に菓子を収納する
請求項１、２、又は、３に記載のブーツ型容器セット。
【請求項５】
前記飲料用容器内に収納可能な大きさとする前記ブーツ型部材の蓋部を形成した
請求項１から４のいずれか１つに記載のブーツ型容器セット。
【請求項６】
前記飲料用容器の所定部位、又は／及び、前記ブーツ型部材の所定部位に互いの容器の連結を保持する連結保持手段を形成した
請求項１から５のいずれか１つに記載のブーツ型容器セット。
【考案の詳細な説明】
【０００１】
【考案の属する技術分野】
この考案は、飲料用容器に関し、特にブーツ型容器と組み合わせて菓子等を収納する容器セットに関する。
【０００２】
【従来の技術】
従来、クリスマス前に販売される菓子等を収納したブーツ型をした容器に関する先行技術（例えば、登録実用新案第３０６７２７８号公報参照）は、下部に短靴形状の容器下部体を備え、上部に縦長筒状の容器上部体を備え、さらに、これらを連結する容器連結体からなるブーツ型容器が提案されている。
【０００３】
上記ブーツ型容器における構成部材の連結方法は、まず、上記容器下部体の口縁部の外周面に形成した凸部を、上記容器連結体における下部の内周面に形成した凸部に係合して、上記容器下部体に容器連結体を取り付けることができる。
【０００４】
続いて上記容器連結体の上面に形成した環状凹溝に上記容器上部体の底面に形成した環状凸部を臨ませて嵌着すれば、連結することができる。
【０００５】
このように、ブーツ型容器を商品として出荷する際等は、上述した３部材を１つづつ取り付ける必要があり、その分、組付けに手数を要し、製造コストもかかるという難点を有する。
【０００６】
また、上記ブーツ型容器の場合、購入後にプレゼント等の中身を取り出した後の容器の再使用時の用途として、容器上部体は小物入れとして、容器下部体は貯金箱として用いることを前提としている。
【０００７】
しかし、各容器の再使用時における用途は異なるため、通常は一旦、分別すれば再度連結することもない。すなわち、容器下部体と連結体とを互いに連結するために形成した連結体における環状凹溝、及び、容器上部体における環状凸部は再使用する上で不要であり、見栄えを悪くする等の弊害も生じるという難点も有する。
【０００８】
ところで、上述した先行技術のごとく、容器を再使用できることは省資源の観点から重要であるが、特に、再使用時における容器が何を使用用途とすることを前提とて形成されたものであるかが商品購入の際、客にとっては選択する上で重要なポイントとなる。
【０００９】
【考案が解決しようとする課題】
そこで本考案は、各容器の取り付けの手間を要さず、中身を取り出した後にも、今までになく、しかも実用的な使用用途が得られるブーツ型容器セットの提供を目的とする。
【００１０】
【課題を解決するための手段】
そのための手段は、上部に飲料の注入可能な飲料用容器を備え、下部に上記飲料用容器の底部相当の大きさで開口している開口部を有するブーツ型のブーツ型部材を備え、上記飲料用容器の底部を上記ブーツ型部材の開口部に着脱自在に嵌着して互いを連結するブーツ型容器セットであることを特徴とする。
【００１１】
上記飲料用容器は、水筒、コップ等の飲料の注入が可能な容器を示すが、飲料以外にも、物品の収納が可能に形成してもよい。例えば、コップの場合は、開口部から収納可能な大きさの物品であれば、コップ内に収納できるが、水筒の場合は、水筒の中蓋部を本体容器部から取り外し可能に形成すれば、物品であっても該中蓋部を取り外して本体容器部の開口部から投入できる。
【００１２】
なお、上記物品とは、例えば、菓子、花等のプレゼント用の物品、又は茶、コーヒー等の嗜好物品等を示す。
【００１３】
一方、前記ブーツ型部材を物品の収納が可能に形成してもよい。この場合、上記ブーツ型部材は、花、貨幣、土、液体等の開口部から収納可能なあらゆる物品を収納可能な容器として使用することができる。
【００１４】
上記飲料用容器と上記物品用容器とを連結したブーツ型容器セットの状態から該飲料用容器と該ブーツ型部材とをそれぞれ手に取り軽く引き抜く程度で離間できる。さらに、離間後は、上記飲料用容器については、該飲料用容器内に収納した物品を取り出して水筒等の飲料用容器として再使用することができる。
【００１５】
また、ブーツ型部材については、そのまま小物入れ、又は花瓶等として再使用することができる。さらに、予め再使用の用途に応じた形態でブーツ型部材の蓋部を形成しておき、再使用時には、ブーツ型部材の開口部に該蓋部を取り付けて使用することができる。
【００１６】
例えば、花瓶として再使用することを前提として、蓋部を花用のホルダーとして形成して、ブーツ型部材の開口部に取り付ければ、該ブーツ型部材は、再使用時に花瓶として使用するのに適した容器となる。
【００１７】
また、上記蓋部は、ブーツ型容器セットの販売時等使用前の状態においては上記飲料用容器内に収納しておく、あるいはブーツ型部材の開口部に予め嵌着等して取り付けておいても構わない。
【００１８】
さらに、上述のごとく嵌着するだけで容易に、連結できるが、特に、連結保持力をさらに強化して一体にしたい場合には、上記飲料用容器の所定部位、又は／及び、上記ブーツ型部材の所定部位に互いの連結を保持する連結保持手段を形成することができる。
【００１９】
上記連結保持手段は、上記飲料用容器の外周部における所定の対向部位に形成した手提げ紐を形成した場合、例えば、各容器を嵌着後、該手提げ紐を上記ブーツ型部材の下端で潜らして一体にして締結すれば、連結保持力が増す。
【００２０】
その他、上記ブーツ型部材の側に手提げ紐を形成してもよく、この場合、該手提げ紐を飲料用容器の上端部で潜らして互いの容器を一体にして連結保持してもよい。
【００２１】
また、上記飲料用容器と上記ブーツ型部材とが嵌着している状態において、該ブーツ型部材の該嵌着している部分における外周部に、例えば、テープ状、綿状の隠蔽部材を添着してブーツ型容器セットの見栄えを良くするようにしてもよい。
【００２２】
さらに、上記飲料用容器の底部を上記ブーツ型部材の開口部に嵌着させるときに、該底部が該ブーツ型部材内の奥に嵌り込まないようストッパとして開口部の口縁部における所定の深さに段部（凸部）を形成してもよい。
【００２３】
【考案の効果】
この考案によれば、飲料用容器の底部をブーツ型部材の開口部に嵌着するだけで容易に、且つ、確実に連結することができる。
【００２４】
また、互いの容器の連結を嵌着によって行うことで、上記飲料用容器の底部、及び上記ブーツ型部材の口縁部のいずれの側にも、互いの容器を取り付けるための係止部等の連結手段を特に形成する必要もなく、見栄えを確保できるとともに、コストも抑えることができる。
【００２５】
ブーツ型容器セットを構成する一方の容器を飲料用容器とすれば、収納した物品を取り出した後に飲料用容器として再使用することができるため、再使用時における実用性が高い。しかも、他方のブーツ型部材とは、全く再使用時の使用用途が異なる組み合わせとなるため、購買意欲を向上させて売上向上を図ることができる。
【００２６】
しかも、飲料用容器、又は／及び、ブーツ型部材に収納する物品を菓子として販売すれば、ブーツ型容器セットを購入後に、該菓子を容器から取り出して空になった状態の飲料用容器に飲料を入れて、該飲料用容器で飲料も飲みながら該菓子を食べることができる。
【００２７】
ブーツ型容器セットの販売時には、飲料用容器内にプレゼント、嗜好物品等の物品を収納して販売することができる。
【００２８】
ブーツ型部材に蓋部を形成し、その際、該蓋部を任意の用途に応じた形態で形成しておけば、ブーツ型部材は、再使用時に例えば、花瓶、又は貯金箱等としても使用することができる。
【００２９】
しかも、ブーツ型容器セットの販売時において、上記蓋部は該ブーツ型容器セット内に収納しておけば、邪魔にならない。
【００３０】
上記ブーツ型容器セットは、互いの容器を嵌着して連結することに加えて、連結保持手段を形成する、あるいは、容器に形成する所定の部品を利用して互いの容器を保持してやれば、より強固に連結することができる。
【００３１】
【考案の実施の形態】
この考案の一実施形態を、以下図面を用いて説明する。
図１、図２に示すごとく、特にクリスマス前に販売されるブーツ型容器セット１１を示す。該ブーツ型容器セット１１は、上部の水筒１２と、下部の物品用容器１７とによって構成している。上記水筒１２は、飲料を飲用可能な円筒状の合成樹脂で形成し、透明色の地に絵柄がプリントされた（図示せず）本体容器部１３と該本体容器部１３の開口部における口縁部に嵌着によって水筒用中蓋部１４が取り付いている。
【００３２】
本体容器部１３には、側面の上端部において、所定の対向部位でそれぞれ突き出した突出片６１を形成し、該各突出片６１には、手提げ紐部材６２の両端がそれぞれ係止部材６３を介して係止している。
【００３３】
さらに、該水筒用中蓋部１４の上側には、水筒用蓋部１６を備え、該水筒用蓋部１６の口縁部の内周部には、上記水筒用中蓋部１４と螺合するための一方の係合螺子部１６ｂを形成している。また、上記水筒用中蓋部１４に対して、飲料を吸引するためのストロー１５が上下方向に突き出し、下方向は、本体容器部１３内の下端部付近まで突き出している。上方向に突き出したストロー１５の上端部は、透明な樹脂製のストロー用キャップ１５ａによって閉口している。
【００３４】
さらに、水筒用中蓋部１４の上面における外周部には、上方に突き出した鍔部１４ａを形成し、該鍔部１４ａの外周部には、上記水筒用蓋部１６の一方の係合螺子部１６ｂと係合する他方の係合螺子部１４ｃを形成している。
【００３５】
また、下部に有する物品用容器１７は、外形がブーツ形状をして材質が合成樹脂で、且つ、赤紫透明色で形成している。該物品用容器１７は、上記水筒１２の本体容器部１３における底部１３ａ相当の大きさの開口部を有し、該開口部の口縁部１７ａ下部付近の深さ位置における内周面沿いには、凸部１７ｂを形成している。さらに、上記開口部の口縁部１７ａにおける外周面沿いには、ブーツ型容器セット１１の意匠として白色の綿状部材１８を添着している。
【００３６】
さらに、ブーツ型容器セット１１は、上記水筒１２の本体容器部１３の底部１３ａを上記物品用容器１７の開口部に、該開口部の上記凸部１７ｂに底部１３ａが当接する位置まで嵌着して上記水筒１２と上記物品用容器１７とを一体にして連結している。なお、嵌着している部位には、上記綿状部材１８が添着されているため、嵌着した水筒１２の底部１３ａが物品用容器１７越しに見えることもなく、見栄えを保つことができる。
【００３７】
上記構成を採るブーツ型容器セット１１のうち、水筒１２の本体容器部１３内には、菓子を詰め合わしたプレゼント袋１９が封入されている。上記水筒用蓋部１６、及び、水筒用中蓋部１４を本体容器部１３から取り外して、本体容器部１３の開口部からプレゼント袋１９を、水筒１２内の本体容器部１３内に収納することができる。
【００３８】
また、客が上記ブーツ型容器セット１１を購入した場合、図３に示すごとく、まず、水筒１２と、物品用容器１７との２つの容器に離間するが、嵌着により連結しているだけであるため、子供であっても上記水筒１２と上記物品用容器１７とを手に取り、軽く引き抜く程度で容易に離間することができるとともに、離間後にも、該２つの容器１２、１７以外に無駄な部材が生じることもない。
【００３９】
すなわち、嵌着によって連結することで、連結するための係止部等の余計な形状を水筒底部１３ａに形成する必要がないため、離間後に係止部材が残ることがなく、再使用後に水筒１２として使用する際にも該係止部材が目障りになることもない。
【００４０】
さらに、水筒１２内のプレゼント袋１９を取り出す際においても、水筒用蓋部１４を回転させて蛇腹状の係合部１４ｂ、１４ｃを離間し、水筒用蓋部１６を水筒用中蓋部１４と分離して、本体容器部１３と水筒用中蓋部１６とを互いに離間するだけで容易にプレゼント袋を取り出すことができる。
【００４１】
このように、ブーツ型容器セット１１の一方の容器を水筒１２とすれば、プレゼントを収納する容器としても適しており、使用後は、水筒１２として実用的に再使用することができる。
【００４２】
また、他方の容器を物品収納用容器１７のごとく、ブーツ型をして販売時に客の目を惹く効果の有する形態しているので、再使用時においても、例えば小物の入れ用容器として用いることができ、いずれの容器１２、１７も廃棄せずに再使用することができる。
なお、プレゼント袋１９を収納するのは、水筒１２内だけでなく、物品用容器１７内にも、あるいは、物品用容器１７内のみに収納してブーツ型容器セット１１を販売しても構わない。
【００４３】
次に、他のブーツ型容器セット３１の形態として、図４に示すごとく上部に水筒１２ではなく、マグカップ３２を備えても構わない。上記マグカップ３２は、合成樹脂で割れないように形成し、側面部における上下方向の中央部に取手３２ａを形成している。
【００４４】
上記構成を採るブーツ型容器セット３１は、上述したブーツ型容器セット１１と同様にマグカップ３２の底部３２ｂが開口部における口縁部１７ａに嵌着して連結し、さらに、マグカップ３２内には、プレゼント袋１９を収納している。
【００４５】
上記ブーツ型容器セット３１の購入者は、上述したブーツ型容器セット１１と同様に、２つの容器３２、１７に離間してプレゼント袋１９を取り出した後は、マグカップ３２と物品用容器１７としてその場で使用することができる。
【００４６】
すなわち、プレゼント袋１９内の菓子を水筒１２内から取り出して、空になった状態の飲料用容器に飲料を入れて、該飲料用容器で飲料も飲みながら該菓子を食べることができる。
【００４７】
さらに、他の実施例の形態として、物品用容器１７を花瓶４２として使用するために、正面視格子状をした花用のホルダー蓋部４３を形成してもよい。すなわち、該ホルダー蓋部４３は、ブーツ型容器セットを分離する前においては、水筒１２の本体容器部１３内、あるいは、図５（ａ）に示すごとく水筒用中蓋部１４と水筒用蓋部１６との間の隙間に収納しておく。さらに、上部の水筒１２と、下部の花瓶４２とを離間して図５（ｂ）に示すごとく、花瓶４２の口縁部１７ａにホルダー蓋部４３を取り付ければ、挿した花を見栄えよく保持できる花瓶４２として再使用することができる。
【００４８】
また、図６に示すごとく、ブーツ型容器セット５１の状態で花瓶のホルダー蓋部４４は、花瓶５２の口縁部１７ａに嵌着した状態とし、該ホルダー蓋部４４に水筒１２の底部１３ａを載置する形態で嵌着し、互いの容器１２、５２を連結してブーツ型容器セット５１を構成してもよい。
【００４９】
なお、上記蓋部の他の実施形態として、蓋部は、小物入れ用容器の蓋部として、あるいは貨幣が投入可能な貯金箱の蓋部等として形成しても構わない。
【００５０】
また、図７に示すごとく、他の実施の形態として、手提げ紐部材６２を垂下させ、該手提げ紐部材６２を物品用容器１７の下端部において、前後方向の中央部位付近で交差する方向に潜らせる。そして、この状態のまま、手提げ紐部材６２における所定部位に取り付いている手提げ紐部材６２の長さを調節する調節部材６４を用いて弛みを無くす。これにより、各容器１２、１７は、手提げ紐部材６２により締め付けられ連結力が増す。すなわち、各容器１２、１７の嵌着によって互いの容器を連結するのに加えて、手提げ紐部材６２を利用することでさらに連結を維持することができる。
【００５１】
上述の実施形態と、この発明の構成との対応において、
この実施形態の水筒１２、及びマグカップ３２は、この発明の飲料用容器に対応し、
以下同様に、
物品用容器１７は、ブーツ型部材に対応し、
ホルダー蓋部４３、４４は、蓋部に対応し、
手提げ紐部材６２は、連結保持手段に対応するも、
この発明は、上述の実施形態の構成のみに限定されるものではなく、多くの実施の形態を得ることができる。
【図面の簡単な説明】
【図１】ブーツ型容器セットを右側面から見た外観図。
【図２】ブーツ型容器セットを右側面から見た断面図。
【図３】飲料用容器と物品用容器とを離間した状態を現す断面図。
【図４】飲料用容器をマグカップとしたブーツ型容器セットの断面図。
【図５】蓋部の収納状態を現す断面図（ａ）、蓋部の使用状態を現す断面図（ｂ）。
【図６】蓋部の他の使用形態を現す物品用容器の断面図。
【図７】他の発明の形態のブーツ型容器セットの右側面図。
【符号の説明】
１１、３１、５１…ブーツ型容器セット
１２…水筒
１７…物品用容器
１３…本体容器部
１３ａ…本体容器部底部
３２…マグカップ
４２、５２…花瓶
４３、４４…ホルダー蓋部
６２…手提げ紐部材
【図１】
0003097220.tif 000003
【図２】
0003097220.tif 000004
【図３】
0003097220.tif 000005
【図４】
0003097220.tif 000006
【図５】
0003097220.tif 000007
【図６】
0003097220.tif 000008
【図７】
0003097220.tif 000009